(57)【要約】【課題】部品点数の削減とコストダウンを図りつつ、外部振動に対しても高い防水性を維持することができる照明器具の防水構造を提供すること。【解決手段】複数のＬＥＤ（発光素子）２を長手方向に実装して成る基板３が挿入されたパイプ４の長手方向両端をキャップ５によって封止して成る照明器具１の防水構造として、前記キャップ５を、中心部に筒状の凸部５Ｂが突設された二重筒状の部材で構成し、該キャップ５の内部に、前記凸部５Ｂとの間に形成される環状溝５ａに接着剤６を充填した状態で、前記パイプ４の長手方向端部を前記キャップ５の環状溝５ａに嵌合させることによって該キャップ５の長手方向端部をシールする構成を採用する。【選択図】図２
2014137987.tif 000002
【特許請求の範囲】
【請求項１】
複数の発光素子を長手方向に実装して成る基板が挿入されたパイプの長手方向両端をキャップによって封止して成る照明器具の防水構造であって、
前記キャップを、中心部に筒状の凸部が突設された二重筒状の部材で構成し、該キャップの内部に、前記凸部との間に形成される環状溝に接着剤を充填した状態で、前記パイプの長手方向端部を前記キャップの環状溝に嵌合させることによって該キャップの長手方向端部をシールすることを特徴とする照明器具の防水構造。
【請求項２】
前記キャップの環状溝の外周にリブを周方向に複数突設したことを特徴とする請求項１記載の照明器具の防水構造。
【発明の詳細な説明】
【技術分野】
【０００１】
本発明は、複数の発光素子を長手方向に実装して成る基板が挿入されたパイプの長手方向両端をキャップによって封止して成る照明器具の防水構造に関するものである。
【背景技術】
【０００２】
パイプの長手方向両端をキャップによって封止して成る照明器具の従来の防水構造を図４に示す。
【０００３】
即ち、図４は照明器具の従来の防水構造を示す断面図であり、図示の照明器具１０１は、発光素子である複数のＬＥＤ（発光ダイオード）１０２を長手方向に適当な間隔で実装して成る基板１０３を円筒状のパイプ１０４内に挿入し、パイプ１０４の長手方向両端を間にグロメット１０７を介してキャップ１０５で封止することによってパイプ１０４の長手方向両端をシールし、パイプ１０４内への水の浸入を阻止する構成が採用されていた（例えば、特許文献１参照）。
【先行技術文献】
【特許文献】
【０００４】
【特許文献１】実用新案登録第３１７７２０６号公報
【発明の概要】
【発明が解決しようとする課題】
【０００５】
しかしながら、図４に示す従来の防水構造にあっては、キャップ１０５やグロメット１０７が外部からの振動によって緩んだり外れてしまい、防水構造を維持することができないという問題が発生する可能性があった。
【０００６】
又、図４に示す従来の防水構造では、部品点数が増えるためにコストアップを免れないという問題もあった。
【０００７】
本発明は上記問題に鑑みてなされたもので、その目的とする処は、部品点数の削減とコストダウンを図りつつ、外部振動に対しても高い防水性を維持することができる照明器具の防水構造を提供することにある。
【課題を解決するための手段】
【０００８】
上記目的を達成するため、請求項１記載の発明は、複数の発光素子を長手方向に実装して成る基板が挿入されたパイプの長手方向両端をキャップによって封止して成る照明器具の防水構造であって、前記キャップを、中心部に筒状の凸部が突設された二重筒状の部材で構成し、該キャップの内部に、前記凸部との間に形成される環状溝に接着剤を充填した状態で、前記パイプの長手方向端部を前記キャップの環状溝に嵌合させることによって該キャップの長手方向端部をシールすることを特徴とする。
【０００９】
請求項２記載の発明は、請求項１記載の発明において、前記キャップの環状溝の外周にリブを周方向に複数突設したことを特徴とする。
【発明の効果】
【００１０】
請求項１記載の発明によれば、中心部に筒状の凸部が突設された二重筒状の部材で構成されたキャップの内部に、該キャップの凸部との間に形成される環状溝に接着剤を充填した状態で、パイプの長手方向端部を前記キャップの環状溝に嵌合させることによって該キャップの長手方向端部をシールするようにしたため、キャップが接着剤によってパイプに確実に接着され、照明器具に外部から振動が加わっても、キャップが緩んだり外れることがなく、キャップの環状溝に充填された接着剤によってパイプの長手方向両端部の防水性が高められる。そして、このような防水構造にはグロメット等の部材が不要となるため、部品点数の削減とコストダウンが図られる。
【００１１】
請求項２記載の発明によれば、キャップの環状溝の外周に突設された複数のリブがキャップのパイプ外周への嵌め込みのガイドとして機能するため、キャップがパイプに対して正確に位置決めされる。
【図面の簡単な説明】
【００１２】
【図１】本発明に係る防水構造を備えた照明器具の分解斜視図である。
【図２】本発明に係る防水構造を備えた照明器具の断面図である。
【図３】図２のＡ−Ａ線断面図である。
【図４】従来の防水構造を示す照明器具の断面図である。
【発明を実施するための形態】
【００１３】
以下に本発明の実施の形態を添付図面に基づいて説明する。
【００１４】
図１は本発明に係る防水構造を備えた照明器具の分解斜視図、図２は同照明器具の断面図、図３は図２のＡ−Ａ線断面図であり、図示の照明器具１は、発光素子である複数のＬＥＤ（発光ダイオード）２を長手方向に実装して成る基板３を円筒状のパイプ４の内部に挿入し、パイプ４の長手方向両端をキャップ５によって封止して構成されている。
【００１５】
上記パイプ４は、ガラス管、アクリル管、ポリカービネート管等によって構成されており、その長手方向両端外周に嵌着されるキャップ５は、外筒５Ａの中心部に円筒状の凸部（内筒）５Ｂが突設された二重筒状の部材で構成されている。このキャップ５の内部には、二重筒構造を成す外筒５Ａと凸部５Ｂとの間に環状溝５ａが形成されており、外筒５Ａの内周（環状溝５ａの外周）には、図３に示すように、４つの位置決め用のリブ５ｂが周方向に等角度ピッチ（９０°ピッチ）で一体に突設されている。
【００１６】
而して、図１に示すように複数のＬＥＤ２が実装された基板３をパイプ４内に挿入した後、各キャップ５の環状溝５ａに接着剤６を充填した状態で、パイプ４の長手方向端部をキャップ５の環状溝５ａに嵌合させることによって、図２に示すように各キャップ５の外筒５Ａがパイプ４の長手方向端部外周に嵌め込まれ、該キャップ５が接着剤６によって確実に接着されるとともに、パイプ４の長手方向両端部が各キャップ５の環状溝５ａに充填された接着材６によってシールされ、外部からパイプ４内への水の浸入が確実に防がれて照明器具１に高い防水性が確保される。そして、本実施の形態では、キャップ５の外筒５Ａの内周（環状溝５ａの外周）に突設された４つのリブ５ｂがキャップ５のパイプ４外周への嵌め込みのガイドとして機能するため、キャップ５がパイプ４に対して正確に位置決めされた状態で確実に嵌着される。
【００１７】
ところで、図２に示すように、基板３から延びるハーネス７は、一方のキャップ５の円筒状の凸部５Ｂを通過してパイプ４の外部へと引き出され、該ハーネス７が通過する凸部５Ｂのハーネス７の周囲の空間は接着剤６によって埋められる。又、他方のキャップ５の凸部５Ｂの内部には接着剤６が充填される。
【００１８】
以上のように、本発明に係る防水構造によれば、中心部に筒状の凸部５Ｂが突設された二重筒状の部材で構成されたキャップ５の内部に、該キャップ５の外筒５Ａと凸部５Ｂとの間に形成される環状溝５ａに接着剤６を充填した状態で、パイプ４の長手方向端部をキャップ５の環状溝５ａに嵌合させることによって該キャップ５の長手方向端部をシールするようにしたため、キャップ５が接着剤６によってパイプ４に確実に接着され、照明器具１に外部から振動が加わっても、キャップ５が緩んだり外れることがなく、キャップ５の環状溝５ａに充填された接着剤５によってパイプ４の長手方向両端部の防水性が高められる。そして、このような防水構造にはグロメット等の部材が不要となるため、部品点数の削減とコストダウンが図られるという効果が得られる。
【符号の説明】
【００１９】
１      照明器具
２      ＬＥＤ（発光素子）
３      基板
４      パイプ
５      キャップ
５Ａ    キャップの外筒
５Ｂ    キャップの凸部
５ａ    カップの環状溝
５ｂ    キャップのリブ
６      接着剤
７      ハーネス
【図１】
2014137987.tif 000003
【図２】
2014137987.tif 000004
【図３】
2014137987.tif 000005
【図４】
2014137987.tif 000006